(57)【要約】【課題】高解像度な立体表示又は多視点表示を行うことのできる表示装置を提供する。【解決手段】本発明の表示装置は、画面Ｗ上に表示する第１画像（右眼用画像）Ｒの画像データと第２画像（左眼用画像）Ｌの画像データとを合成する画像データ合成回路を備え、前記第１画像Ｒは、１画素内に含まれる複数のサブ画素ｒ，ｇ，ｂから選択される１又は２以上のサブ画素を画像の最小表示単位である表示画素ＰＲ１又はＰＲ２として含み、前記第２画像Ｌは、前記１画素内に含まれる複数のサブ画素ｒ，ｇ，ｂのうち前記第１画像で選択された１又は２以上のサブ画素を除く１又は２以上のサブ画素を画像の最小表示単位である表示画素ＰＬ１又はＰＬ２として含む。【選択図】図５
2008109607.tif 000002
【特許請求の範囲】
【請求項１】
互いに色の異なる複数のサブ画素からなる画素と、
前記画素が水平方向及び垂直方向に配列されてなる表示部と、
前記表示部に表示する第１画像の画像データと第２画像の画像データとを合成する画像データ合成回路と、
前記表示部に表示された前記第１画像及び前記第２画像を空間的に分離する画像分離手段とを備え、
前記第１画像は、１画素内に含まれる複数の前記サブ画素から選択される１又は２以上のサブ画素を画像の最小表示単位である表示画素として含み、
前記第２画像は、前記１画素内に含まれる複数のサブ画素のうち前記第１画像で選択された１又は２以上のサブ画素を除く１又は２以上のサブ画素を画像の最小表示単位である表示画素として含むことを特徴とする表示装置。
【請求項２】
同一画像内において前記表示画素として選択されるサブ画素の色は隣り合う画素同士の間で互いに異なることを特徴とする請求項１に記載の表示装置。
【請求項３】
１画素内において前記第１画像の表示画素として選択されるサブ画素の数と前記第２画像の表示画素として選択されるサブ画素の数との合計は、前記１画素内に含まれるサブ画素の数に等しいことを特徴とする請求項１又は２に記載の表示装置。
【請求項４】
前記画像データ合成回路は、
前記第１画像の表示画素として選択されるサブ画素の画像データと前記第２画像の表示画素として選択されるサブ画素の画像データとをそれぞれ外部から入力された合成前の前記第１画像の画像データと合成前の前記第２画像の画像データとから選択的にメモリに読み込む読込制御回路と、
前記メモリに読み込まれた画像データをそれぞれ画像信号線を介して１画素内の対応するサブ画素に対して出力する読出制御回路とを備えることを特徴とする請求項１〜３のいずれかの項に記載の表示装置。
【請求項５】
前記画像データ合成回路は、
外部から入力された合成前の前記第１画像の画像データと合成前の前記第２画像の画像データから前記第１画像の表示画素として選択されるサブ画素の画像データと前記第２画像の表示画素として選択されるサブ画素の画像データを選択して当該サブ画素に出力する選択回路を備えることを特徴とする請求項１〜３のいずれかの項に記載の表示装置。
【請求項６】
前記選択回路は水平方向に配列された複数の選択用スイッチング素子を備え、
前記複数の選択用スイッチング素子はそれぞれ水平方向に配列された複数の前記サブ画素に対応しており、
各々の前記選択用スイッチング素子は、当該選択用スイッチング素子が電気的に接続されるサブ画素に対してそれぞれ合成前の前記第１画像の画像データ及び合成前の前記第２画像の画像データを供給する２本の画像信号線に対応していることを特徴とする請求項５に記載の表示装置。
【請求項７】
前記複数の選択用スイッチング素子のうち共通する色のサブ画素に対応する選択用スイッチング素子は、隣接する画素同士の間で互いに異なる画像の画像データを選択することを特徴とする請求項６に記載の表示装置。
【請求項８】
前記第１画像の表示画素として選択されるサブ画素と前記第２画像の表示画素として選択されるサブ画素は、水平方向又は垂直方向の少なくとも一方において互いに交互に配置されていることを特徴とする請求項１〜７のいずれかの項に記載の表示装置。
【請求項９】
前記第１画像の表示画素として選択されるサブ画素と前記第２画像の表示画素として選択されるサブ画素は、水平方向又は垂直方向の双方において互いに交互に配置されていることを特徴とする請求項８に記載の表示装置。
【請求項１０】
前記第１画像は右眼用の画像であり、前記第２画像は左眼用の画像であることを特徴とする請求項１〜９のいずれかの項に記載の表示装置。
【請求項１１】
前記第１画像は第１視点において観察される第１視点用の画像であり、前記第２画像は第２視点において観察される第２視点用の画像であることを特徴とする請求項１〜９のいずれかの項に記載の表示装置。
【請求項１２】
同一画面上に第１画像と第２画像とを合成して出力する画像処理方法であって、
１画素内に含まれる複数のサブ画素から選択される１又は２以上のサブ画素を前記第１画像の最小表示単位である表示画素として構成し、
前記１画素内に含まれる複数のサブ画素のうち前記第１画像で選択された１又は２以上のサブ画素を除く１又は２以上のサブ画素を前記第２画像の最小表示単位である表示画素として構成することを特徴とする画像処理方法。
【請求項１３】
請求項１〜１１のいずれかの項に記載の表示装置を備えたことを特徴とする電子機器。
【発明の詳細な説明】
【技術分野】
【０００１】
本発明は、特殊な眼鏡を用いずに立体表示や多視点表示を行う表示装置、画像処理方法並びに電子機器に関するものである。
【背景技術】
【０００２】
従来より、特殊な眼鏡を必要とせずに立体映像表示を実現する方法として、パララックスバリア方式やレンチキュラー方式等が知られている。これらの方式は両眼視差を利用する右眼用映像と左眼用映像とを例えば縦ストライプ状に画面に交互に表示し、この表示映像をパララックスバリアやレンチキュラーレンズ等で分離して観察者の右眼と左眼に各々導くことで立体視を行わせるものである。
【０００３】
図１１は、パララックスバリアを用いた表示装置の概略構成図である。画面Ｗには、左眼用画像Ｌと右眼用画像Ｒとが１列毎に交互に表示されている。画面Ｗと観察者Ｈとの間には、左眼用画像Ｌと右眼用画像Ｒとを空間的に分離する画像分離手段であるパララックスバリアＢが配置されている。パララックスバリアＢは、右眼用画像Ｒと左眼用画像Ｌに対応した複数の開口部を有する遮光膜であり、左眼用画像Ｌが観察者Ｈの右目に入射されるのを防ぐと共に右眼用画像Ｒが観察者Ｈの左目に入射されるのを防ぐ。パララックスバリアＢには、縦ストライプ状のスリットＳが設けられており、このスリットＳを介して右眼用画像Ｒが観察者Ｈの右眼に入射され、左眼用画像Ｌが観察者Ｈの左眼に入射される。
【０００４】
図１２は、右眼用画像Ｒと左眼用画像Ｌとを同一画面Ｗ上に合成する方法を説明する説明図である。同図において（ａ）は表示装置に入力される右眼用画像データＤＲ′と左眼用画像データＤＬ′を示す図であり、（ｂ）は同画像データＤＲ′及びＤＬ′を水平方向に圧縮した後の画像データＤＲ及びＤＬを示す図であり、（ｃ）は同画像データＤＲ及びＤＬを１列毎に交互に並べ替えて合成した画像データＤ（合成データ）を示す図である。
【０００５】
図１２に示すように、画面Ｗ上には右眼用と左眼用の２つの画像Ｒ及びＬが表示されるため、それぞれの画像Ｒ及びＬの水平方向の解像度は、通常の画像の１／２となる。したがって、表示装置に入力された右眼用画像データＤＲ′と左眼用画像データＤＬ′は、それぞれ画像データ合成回路によって画像データを１画素毎に間引かれ、水平方向の解像度が１／２に圧縮された右眼用画像データＤＲと左眼用画像データＤＬに加工される。そして、これらの画像データＤＲ及びＤＬが１サブ画素毎に交互に並べ替えられることにより、合成データＤが作製される（例えば、特許文献１参照）。
【特許文献１】特開２０００−２４４９４６号公報
【発明の開示】
【発明が解決しようとする課題】
【０００６】
図１３は、画面Ｗ上に表示された合成データＤの画像の一部を示す平面図である。同図において（ａ）は右眼用画像Ｒと左眼用画像Ｌとを合成した合成画像の平面図であり、（ｂ）はパララックスバリアＢを介して見た右眼用画像Ｒの平面図であり、（ｃ）はパララックスバリアＢを介して見た左眼用画像Ｌの平面図である。なお、「ｒ」「ｇ」「ｂ」は、それぞれ赤色、緑色、青色のカラーフィルタが割り当てられたサブ画素を示している。
【０００７】
図１３（ａ）に示すように、右眼用画像Ｒを表示するサブ画素と左眼用画像Ｌを表示するサブ画素は、それぞれ１サブ画素毎に水平方向に交互に並んで配置されている。垂直方向で見ると、右眼用画像Ｒを表示する複数のサブ画素と、左眼用画像Ｌを表示する複数のサブ画素とは、１列毎に交互に並んで配置されており、それぞれの画像Ｒ，Ｌを表示する複数のサブ画素が、カラーフィルタの延在方向（垂直方向）に沿ってストライプ状に配置されている。なお、図１１に示した右眼用画像Ｒと左眼用画像Ｌは、それぞれ垂直方向に配列された１列分のサブ画素によって形成される画像を示している。
【０００８】
図１３（ｂ）において、共通の座標（ｎ，ｋ）で表示された３つのサブ画素は、一体となって１つの表示画素ＰＲを構成する。表示画素ＰＲは、１サブ画素毎に配置される赤、青、緑の３つのサブ画素によって構成されている。表示画素ＰＲは、合成後の右眼用画像Ｒを表示する最小の表示単位であり、画面Ｗを構成する画素（パネル画素）、すなわち水平方向に連続する赤色、緑色、青色の３つのサブ画素を一組として構成される画素とは異なるものである。画面Ｗには、右眼用の表示画素ＰＲが水平方向及び垂直方向に複数配列されており、これら複数の表示画素ＰＲによって全体としての右眼用画像Ｒが形成されている。
【０００９】
図１３（ｃ）において、共通の座標（ｎ，ｋ）で表示された３つのサブ画素は、一体となって１つの表示画素ＰＬを構成する。表示画素ＰＬは、１サブ画素毎に配置される緑、赤、青の３つのサブ画素によって構成されている。表示画素ＰＬは、合成後の左眼用画像Ｌを表示する最小の表示単位であり、画面Ｗを構成する画素（パネル画素）、すなわち水平方向に連続する赤色、緑色、青色の３つのサブ画素を一組として構成される画素とは異なるものである。画面Ｗには、左眼用の表示画素ＰＬが水平方向及び垂直方向に複数配列されており、これら複数の表示画素ＰＬによって全体としての左眼用画像Ｌが形成されている。
【００１０】
しかしながら、これらの表示画素ＰＲ，ＰＬは、３つのサブ画素が１サブ画素毎に交互に配置されているため、通常の２次元画像を表示する場合に比べて表示画素全体が水平方向に２倍に（２画素分の大きさに）広がった状態となり、細かい画像を表示する場合に十分な再現性が得られないという問題があった。例えば、図１４は画面Ｗ上に白い輝線ＳＷを表示する場合を示している。図１４（ａ）に示すように、右眼用画像Ｒに輝線ＳＷを表示する場合には、輝線ＳＷと重なる部分の表示画素ＰＲを点灯させる必要がある（図１４（ｂ））。この場合、表示画素ＰＲが通常の平面画像を表示する場合に比べて水平方向に２倍の大きさで広がっているため、輝線ＳＷの幅も水平方向に広がった状態となり、本来の輝線ＳＷの形状から大きく歪んだものとなってしまう。
【００１１】
この問題を解決する手段として、右眼用画像Ｒと左眼用画像Ｌとを水平方向及び垂直方向の双方において交互に配置し、それに対応させてパララックスバリアＢを水平方向に対して斜めに配置する斜めバリア方式（ステップバリア方式）を採用することが考えられる。斜めバリア方式を採用した場合には、表示画素のアスペクト比が１：１に近づくため、ストライプバリア方式を用いた場合に比べて画像が水平方向に大きく歪むことがなく、全体として滑らかな画像表示を行うことができる。
【００１２】
しかしながら、この方法では、表示画素のアスペクト比は改善できるものの、画質の改善効果は依然として限定的な範囲に留まったものとなる。斜めバリア方式を採用した場合でも、１つ表示画素の面積は元の画素（パネル画素）の２倍であり、細かい画像を表示する場合に十分な解像度が得られないからである。この問題は、右眼用画像及び左眼用画像の画像データを１画素毎に間引く従来の画像処理方法においては必然的に生じる問題であり、この問題を解決することは、立体表示の画質向上を図る上で不可欠の課題となっている。
【００１３】
本発明はこのような事情に鑑みてなされたものであって、高解像度な立体表示又は多視点表示を行うことのできる表示装置及び画像処理方法を提供することを目的とする。また、このような表示装置を備えることにより、輪郭が滑らかで鮮明な立体表示又は多視点表示が可能な電子機器を提供することを目的とする。
【課題を解決するための手段】
【００１４】
上記の課題を解決するため、本発明の表示装置は、互いに色の異なる複数のサブ画素からなる画素と、前記画素が水平方向及び垂直方向に配列されてなる表示部と、前記表示部に表示する第１画像の画像データと第２画像の画像データとを合成する画像データ合成回路と、前記表示部に表示された前記第１画像及び前記第２画像を空間的に分離する画像分離手段とを備え、前記第１画像は、１画素内に含まれる複数の前記サブ画素から選択される１又は２以上のサブ画素を画像の最小表示単位である表示画素として含み、前記第２画像は、前記１画素内に含まれる複数のサブ画素のうち前記第１画像で選択された１又は２以上のサブ画素を除く１又は２以上のサブ画素を画像の最小表示単位である表示画素として含むことを特徴とする。この構成によれば、第１画像及び第２画像の画素データをサブ画素単位で間引くことによって画像データを圧縮しているので、合成画像を表示する第１画像及び第２画像の表示画素の大きさが通常の２次元画像を表示する場合の画素（パネル画素）の大きさと同じになり、解像度の高い画像表示が可能となる。
【００１５】
なお、表示部に表示する画像は第１画像と第２画像の２画像に限らず、第３画像を含む３画像以上の画像を表示部に表示することができる。この場合、第３画像は、前記１画素内に含まれる複数のサブ画素のうち前記第１画像及び前記第２画像で選択された２以上のサブ画素を除く１又は２以上のサブ画素を画像の最小表示単位である表示画素として含むことになる。第４画像を含む４画像以上を表示部に表示する場合も同様である。ただし、４画像以上を表示する場合には、１画素内で間引くサブ画素の数が３つ以上となるため、３つのサブ画素で１つの画素を構成するパネル（表示部）は採用できない。この場合には、１つの画素を４つ以上のサブ画素で構成する特殊なパネルが必要となる。したがって、本発明の画像表示を行う場合には、表示部に表示する画像の数は３画像以下であることが望ましい。
【００１６】
本発明においては、同一画像内において前記表示画素として選択されるサブ画素の色は隣り合う画素同士の間で互いに異なることが望ましい。この構成によれば、隣接する表示画素同士の間で表示される色が互いに異なるため、これらの表示画素同士の間で色が補完し合い、全体として正確な色再現性が得られる。
【００１７】
本発明においては、１画素内において前記第１画像の表示画素として選択されるサブ画素の数と前記第２画像の表示画素として選択されるサブ画素の数との合計は、前記１画素内に含まれるサブ画素の数に等しいことが望ましい。この構成によれば、第１画像及び第２画像において間引かれる色情報の量が最小限に抑えられるため、色再現性の高い画像表示が可能となる。
【００１８】
本発明においては、前記画像データ合成回路は、前記第１画像の表示画素として選択されるサブ画素の画像データと前記第２画像の表示画素として選択されるサブ画素の画像データとをそれぞれ外部から入力された合成前の前記第１画像の画像データと合成前の前記第２画像の画像データとから選択的にメモリに読み込む読込制御回路と、前記メモリに読み込まれた画像データをそれぞれ画像信号線を介して１画素内の対応するサブ画素に対して出力する読出制御回路とを備えることが望ましい。この構成によれば、第１画像の画像データと第２画像の画像データとを合成した後表示部に出力するため、表示部の構造を変更する必要がなく、従って、通常の２次元画像を表示する場合の表示部をそのまま本発明の表示部に適用することができる。
【００１９】
本発明においては、前記画像データ合成回路は、外部から入力された合成前の前記第１画像の画像データと合成前の前記第２画像の画像データから前記第１画像の表示画素として選択されるサブ画素の画像データと前記第２画像の表示画素として選択されるサブ画素の画像データを選択して当該サブ画素に出力する選択回路を備えることが望ましい。この構成によれば、メモリを用いずに画像データを合成することができるため、安価な表示装置が提供できる。
【００２０】
本発明においては、前記選択回路は水平方向に配列された複数の選択用スイッチング素子を備え、前記複数の選択用スイッチング素子はそれぞれ水平方向に配列された複数の前記サブ画素に対応しており、各々の前記選択用スイッチング素子は、当該選択用スイッチング素子が電気的に接続されるサブ画素に対してそれぞれ合成前の前記第１画像の画像データ及び合成前の前記第２画像の画像データを供給する２本の画像信号線に対応していることが望ましい。この構成によれば、各々のサブ画素について容易に第１画像の画像データと第２画像の画像データを選択して出力することができる。
【００２１】
本発明においては、前記複数の選択用スイッチング素子のうち共通する色のサブ画素に対応する選択用スイッチング素子は、隣接する画素同士の間で互いに異なる画像の画像データを選択することが望ましい。この構成によれば、隣接する表示画素同士の間で、表示する色を異ならせることができる。このため、表示画素同士の間で色補償が可能となり、略正確な色再現性が得られる。
【００２２】
本発明においては、前記第１画像の表示画素として選択されるサブ画素と前記第２画像の表示画素として選択されるサブ画素は、水平方向又は垂直方向の少なくとも一方において互いに交互に配置されていることが望ましい。この構成によれば、水平方向又は垂直方向において表示画素同士の色補償が可能となる。
【００２３】
本発明においては、前記第１画像の表示画素として選択されるサブ画素と前記第２画像の表示画素として選択されるサブ画素は、水平方向又は垂直方向の双方において互いに交互に配置されていることが望ましい。この構成によれば、水平方向及び垂直方向の双方において表示画素同士の色補償が可能となり、より高い色再現性が得られる。
【００２４】
本発明においては、前記第１画像は右眼用の画像であり、前記第２画像は左眼用の画像であることが望ましい。また、前記第１画像は第１視点において観察される第１視点用の画像であり、前記第２画像は第２視点において観察される第２視点用の画像であることが望ましい。この構成によれば、解像度の高い立体表示又は多視点表示が可能な表示装置が提供できる。
【００２５】
本発明の画像処理方法は、同一画面上に第１画像と第２画像とを合成して出力する画像処理方法であって、１画素内に含まれる複数のサブ画素から選択される１又は２以上のサブ画素を前記第１画像の最小表示単位である表示画素として構成し、前記１画素内に含まれる複数のサブ画素のうち前記第１画像で選択された１又は２以上のサブ画素を除く１又は２以上のサブ画素を前記第２画像の最小表示単位である表示画素として構成することを特徴とする。この方法によれば、第１画像及び第２画像の画素データをサブ画素単位で間引くことによって画像データを圧縮しているので、合成画像を表示する第１画像及び第２画像の表示画素の大きさが通常の２次元画像を表示する場合の画素（パネル画素）の大きさと同じになり、解像度の高い画像表示が可能となる。
【００２６】
本発明の電子機器は、前述した本発明の表示装置を備えたことを特徴とする。この構成によれば、輪郭が滑らかで鮮明な立体表示或いは多視点表示が可能な電子機器を提供することができる。
【発明を実施するための最良の形態】
【００２７】
以下、図面を参照して本発明の実施の形態について説明する。なお、以下の説明においては、画面の列方向（データ線の延在方向）を「垂直方向」といい、画面の行方向（走査線の延在方向）を「水平方向」ということとする。また、図１１〜図１４に示した従来の表示装置と共通の構成要素については、同じ符号を付し、詳細な説明は省略する。
【００２８】
［第１の実施の形態］
図１は、本発明の第１実施形態の表示装置１の概略構成図である。表示装置１は、複数の画像データＤＲ′，ＤＬ′を含む多重画像データＤ′から１画面分の画像データＤを合成して出力する画像データ合成回路２と、画像データ合成回路２から出力された画像データＤを画面Ｗ上に表示する表示パネル３と、画面Ｗ上に表示された複数の画像Ｒ，Ｌを空間的に分離し観察者Ｈの右眼及び左眼にそれぞれ導くパララックスバリア（画像分離手段）Ｂとを備えている。
【００２９】
多重画像データＤ′は右眼用画像データＤＲ′と左眼用画像データＤＬ′とを含んでいる。右眼用画像データＤＲ′及び左眼用画像データＤＬ′は、それぞれ１画面分の画像データを含んでおり、右眼用画像データＤＲ′を所定期間内のデータ領域の上半分の領域に割り当て、左眼用画像データＤＬ′を所定期間内のデータ領域の下半分の領域に割り当てることにより、画面複数分の画像データを含む多重画像データＤ′が構成されている。
【００３０】
画像データ合成回路２は、入力された多重画像データＤ′を圧縮しメモリ２２に順次記憶させる読込制御回路２１と、メモリ２２に記憶された画像データを所定のルールに従って読み出し、１画面分の画像データＤとして出力する読出制御回路２３とを備えている。画像データ合成回路２は、読込制御回路２１によって、多重画像データＤ′に含まれる右眼用画像データＤＲ′と左眼用画像データＤＬ′の一部を間引き、これらをメモリ２２を用いて交互に並び替えることにより、新たな画像データＤを合成する。
【００３１】
図２は、表示装置１の全体構成を示すブロック図である。表示装置１は、表示部である液晶パネル３と、画像データ供給回路２５と、タイミング制御回路８と、電源回路９とを備えている。
【００３２】
タイミング制御回路８は、液晶パネル３の画素（パネル画素）を走査するためのドットクロックを生成する図示略のタイミング信号出力手段を備えている。タイミング制御回路８は、タイミング信号出力手段によって生成されたドットクロックに基づいて、Ｙクロック信号ＣＬＹ、反転Ｙクロック信号ＣＬＹｉｎｖ、Ｘクロック信号ＣＬＸ、反転Ｘクロック信号ＣＬＸｉｎｖ、ＹスタートパルスＤＹ及びＸスタートパルスＤＸを生成し、画像データ供給回路２５及び液晶パネル３に出力するようになっている。
【００３３】
画像データ供給回路２５は、Ｓ／Ｐ変換回路２０と、読込制御回路２１と、メモリ２２と、読出制御回路２３とを備えている。Ｓ／Ｐ変換回路２０は、外部から入力された１系統の多重画像データＤ′を右眼用画像の画像データＤＲ′ｒ、ＤＲ′ｇ、ＤＲ′ｂと左眼用画像の画像データＤＬ′ｒ、ＤＬ′ｇ、ＤＬ′ｂに分け、６相の画像データとして出力する。読込制御回路２１は、Ｓ／Ｐ変換回路２０で相展開された６つの画像データＤＲ′ｒ、ＤＲ′ｇ、ＤＲ′ｂ、ＤＬ′ｒ、ＤＬ′ｇ、ＤＬ′ｂの一部を間引いて、新たな６つの画像データＤＲｒ、ＤＲｇ、ＤＲｂ、ＤＬｒ、ＤＬｇ、ＤＬｂをメモリ２２に出力する。読出制御回路２３は、メモリ２２に記憶された画像データＤＲｒ、ＤＲｇ、ＤＲｂ、ＤＬｒ、ＤＬｇ、ＤＬｂを並べ替えて、合成画像の画像データＤｒ、Ｄｇ、Ｄｂを出力する。なお、「ｒ」「ｇ」「ｂ」は、それぞれ赤色、緑色、青色の画像データを示している。画像データＤｒ、Ｄｇ、Ｄｂは、それぞれ右眼用画像と左眼用画像とを合成した合成画像の赤色、緑色、青色の画像データである。
【００３４】
図３は、液晶パネル３及び周辺駆動回路の電気的構成を示すブロック図である。液晶パネル３には、画像データＤｒ、Ｄｇ、Ｄｂを表示するための画像表示領域（画面）Ｗが設けられている。画像表示領域Ｗには、複数の画素電極３３が水平方向及び垂直方向にマトリクス状に設けられている。画素電極３３の境界部には、画像表示領域Ｗの水平方向及び垂直方向に沿ってそれぞれ複数の走査線３４及び複数のデータ線３５が設けられている。走査線３４とデータ線３５との交点付近には、画素スイッチング素子としてのＴＦＴ（図示略）が設けられている。画素電極３３は、該ＴＦＴを介して走査線３３及びデータ線３５と電気的に接続されている。
【００３５】
画素電極３３が形成された領域は、それぞれサブ画素を構成する。サブ画素は、赤色、緑色、青色のいずれかの色要素に対応しており、このようなサブ画素が水平方向及び垂直方向に配列することにより、全体としての画像表示領域Ｗが形成されている。図示は省略したが、画像表示領域Ｗには、ストライプ状に形成された複数のカラーフィルタが設けられている。カラーフィルタは、赤色、緑色、青色のいずれかの色を有し、垂直方向に配列したサブ画素の列のいずれかに対応している。赤色、緑色、青色のカラーフィルタは、それぞれ１サブ画素毎に水平方向に交互に配置されており、赤色、緑色、青色の３つのカラーフィルタに対応した３つのサブ画素によって１つの画素（パネル画素）が形成されている。
【００３６】
画像表示領域Ｗの周辺部には、走査線駆動回路３１と、データ線駆動回路３２と、サンプリング回路３８とを含む周辺駆動回路が設けられている。これらの回路は、画素電極３３が形成された基板上に一体に形成しても良いし、駆動用ＩＣとして当該基板とは別体に設けても良い。
【００３７】
データ線駆動回路３２とサンプリング回路３８との間には、画像データＤｒ、Ｄｇ、Ｄｂを供給するための３本の画像信号線３７が設けられている。３本の画像信号線３７は、３相に展開された赤色画像データＤｒ、緑色画像データＤｇ、青色画像データＤｂのいずれかに対応している。
【００３８】
データ線３５の一端には、サンプリングスイッチ３６が電気的に接続されている。サンプリングスイッチ３６は、３相の画像データＤｒ、Ｄｇ、Ｄｂを供給する３本の画像信号線３７のいずれかと電気的に接続されている。サンプリングスイッチ３６は水平方向に複数設けられており、該複数のサンプリングスイッチ３６によって、サンプリング回路３８が形成されている。
【００３９】
走査線駆動回路３１には、図２に示したタイミング制御回路８から、Ｙクロック信号ＣＬＹ、反転Ｙクロック信号ＣＬＹｉｎｖ及びＹスタートパルスＤＹが供給されるようになっている。走査線駆動回路３１は、ＹスタートパルスＤＹが入力されると、Ｙクロック信号ＣＬＹ及び反転Ｙクロック信号ＣＬＹｉｎｖに基づくタイミングで、走査信号Ｇ１、Ｇ２、…、Ｇｍを順次生成して出力するようになっている。
【００４０】
データ線駆動回路３２には、図２に示したタイミング制御回路８から、Ｘクロック信号ＣＬＸ、反転Ｘクロック信号ＣＬＸｉｎｖ及びＸスタートパルスＤＸが供給されるようになっている。データ線駆動回路３２は、ＸスタートパルスＤＸが入力されると、Ｘクロック信号ＣＬＸ及び反転Ｘクロック信号ＣＬＸｉｎｖに基づくタイミングで、サンプリング信号Ｓ１、Ｓ２、…、Ｓｎを順次生成して出力するようになっている。
【００４１】
サンプリング信号は、水平方向に連続する赤色、緑色、青色の３つサブ画素を一組として、１画素毎（１パネル画素毎）に供給されるようになっている。データ線駆動回路３２からは、１画素毎にサンプリング信号Ｓ１、Ｓ２、…、Ｓｎが順次供給され、サンプリング信号Ｓ１、Ｓ２、…、Ｓｎに応じて、各サンプリングスイッチ３６がオン状態とされる。そして、オン状態となったサンプリングスイッチ３６を介して、１画素毎にデータ線３５に画像データＤｒ、Ｄｇ、Ｄｂが順次供給されるようになっている。
【００４２】
次に、図４を用いて、画像データ合成回路２による画像処理方法を詳細に説明する。まず、読込制御回路２１が多重画像データＤ′を取り込む。読込制御回路２１は、取り込んだ右眼用画像データＤＲ′及び左眼用画像データＤＬ′の一部を間引く処理を行う。そして、右眼用画像データＤＲ′及び左眼用画像データＤＬ′の一部を間引いて作成された新たな右眼用画像データＤＲ及び左眼用画像データＤＬを順次メモリ２２に入力する。
【００４３】
多重画像データＤ′には、Ｒ（１，１）、Ｒ（１，２）、…で示される１画面分の右眼用画像データＤＲ′と、Ｌ（１，１）、Ｌ（１，２）、…で示される１画面分の左眼用画像データＤＬ′とが含まれている。図２において、符号５は、外部から入力された多重画像データＤ′の１画面分の画像データの配列を示しており、符号６は、メモリ２２に設けられた記憶領域の配列を示している。符号７は、多重画像データＤ′の一部を選択して並び替えた１画面分の画像データ（合成データ）Ｄの配列を示している。合成データＤには、右眼用画像データＤＲ′の一部を抽出して作成された右眼用画像データＤＲと、左眼用画像データＤＬ′の一部を抽出して作成された左眼用画像データＤＬとが含まれており、これらは１サブ画素毎に並べ替えられて、赤色、緑色、青色のサブ画素の画像データＤｒ、Ｄｇ、Ｄｂとして出力される（図２参照）。
【００４４】
配列５及び配列７の図において、複数の矩形形状で示された領域は、それぞれサブ画素の画像データを示している。矩形領域の上段側の文字は、画像データの種別（右眼用か左眼用か）と、サブ画素が含まれる画素の画面Ｗ上の座標とを示している。例えば、上段側に「Ｒ（ｎ,ｋ）」（ｎ,ｋ：自然数）と記載された画像データは、画面Ｗ上においてｎ行ｋ列で特定される画素の右眼用画像の画像データであることを示している。矩形領域の下段側の文字は、サブ画素の色情報を示している。下段側の文字「ｒ」「ｇ」「ｂ」は、それぞれ赤色、緑色、青色の色情報を示している。例えば、下段側に「ｍ」（ｍ：ｒ，ｇ，ｂ）と記載された画像データは、ｍ色のカラーフィルタに対応したサブ画素の画像データであることを示している。以下、単に「Ｒ（ｎ，ｋ）ｍ」（ｎ，ｋ：自然数、ｍ：ｒ，ｇ，ｂ）のように上段側の情報と下段側の情報を併記することにより、サブ画素の画像データを特定することにする。
【００４５】
読込制御回路２１では、まず右眼用画像データＤＲ′に対して、座標（１，１）の画素の画像データのうち、緑色サブ画素の画像データＲ（１，１）ｇが間引かれ、赤色サブ画素と青色サブ画素の画像データＲ（１，１）ｒ，Ｒ（１，１）ｂがメモリ２２に記憶される。座標（１，２）の画素の画像データについては、赤色サブ画素と青色サブ画素の画像データＲ（１，２）ｒ，Ｒ（１，２）ｂが間引かれ、緑色サブ画素の画像データＲ（１，２）ｇがメモリ２２に記憶される。座標（１，３）の画素の画像データについては、赤色サブ画素と青色サブ画素の画像データＲ（１，３）ｒ，Ｒ（１，３）ｂが間引かれ、緑色サブ画素の画像データＲ（１，３）ｇがメモリ２２に記憶される。
【００４６】
以下同様にして、奇数列目の画素の画像データについては、緑色の色情報を有する画像データが間引かれ、赤色と青色の色情報を有する画像データがメモリ２２に記憶される。偶数列目の画素の画像データについては、赤色と青色の色情報を有する画像データが間引かれ、緑色の色情報を有する画像データがメモリ２２に記憶される。これにより、右眼用画像データＤＲ′の半分の情報量を有する新たな右眼用画像データＤＲがメモリ２２に記憶される。新たに生成された右眼用画像データＤＲは、元の右眼用画像データＤＲ′の一部の色情報を選択し、残りの色情報を間引くことにより、全体として情報量が１／２に圧縮された画像データとなっている。
【００４７】
右眼用画像データＤＲ′の画像処理が終了したら、左眼用画像データＤＬ′の画像処理が行われる。読込制御回路２１では、左眼用画像データＤＬ′に対して、座標（１，１）の画素の画像データのうち、緑色サブ画素の画像データＬ（１，１）ｇが間引かれ、赤色サブ画素と青色サブ画素の画像データＬ（１，１）ｒ，Ｌ（１，１）ｂがメモリ２２に記憶される。座標（１，２）の画素の画像データについては、赤色サブ画素と青色サブ画素の画像データＬ（１，２）ｒ，Ｌ（１，２）ｂが間引かれ、緑色サブ画素の画像データＬ（１，２）ｇがメモリ２２に記憶される。座標（１，３）の画素の画像データについては、赤色サブ画素と青色サブ画素の画像データＬ（１，３）ｒ，Ｌ（１，３）ｂが間引かれ、緑色サブ画素の画像データＬ（１，３）ｇがメモリ２２に記憶される。
【００４８】
以下同様にして、奇数列目の画素の画像データについては、赤色と青色の色情報を有する画像データが間引かれ、緑色の色情報を有する画像データがメモリ２２に記憶される。偶数列目の画素の画像データについては、緑色の色情報を有する画像データが間引かれ、赤色と青色の色情報を有する画像データがメモリ２２に記憶される。これにより、左眼用画像データＤＬ′の半分の情報量を有する新たな左眼用画像データＤＬがメモリ２２に記憶される。新たに生成された左眼用画像データＤＬは、元の左眼用画像データＤＬ′の一部の色情報を選択し、残りの色情報を間引くことにより、全体として情報量が１／２に圧縮された画像データとなっている。
【００４９】
以上の処理が終了したら、読出制御回路２３は、所定のルールに従ってメモリ２２から右眼用画像データＤＲと左眼用画像データＤＬとを読み出す。座標（１，１）の画素に含まれる赤色、緑色、青色のサブ画素には、Ｒ（１，１）ｒ、Ｌ（１，１）ｇ、Ｒ（１，１）ｂの画像データがそれぞれ読み出される。座標（１，２）の画素に含まれる赤色、緑色、青色のサブ画素には、Ｒ（１，１）ｒ、Ｌ（１，１）ｇ、Ｒ（１，１）ｂの画像データがそれぞれ読み出される。以下同様にして、奇数列目の画素の赤色、緑色、青色のサブ画素には、右眼用画像の赤色画像データ、左眼用画像の緑色画像データ、右眼用画像の青色画像データがそれぞれ読み出され、偶数列目の画素の赤色、緑色、青色のサブ画素には、左眼用画像の赤色画像データ、右眼用画像の緑色画像データ、左眼用画像の青色画像データがそれぞれ読み出される。これにより、右眼用画像データＤＲと左眼用画像データＤＬとが合成された新たな画像データＤ（合成データ）が作成される。
【００５０】
図５は、画面Ｗ上に表示された合成データＤの画像の一部を示す平面図である。同図において（ａ）は右眼用画像Ｒと左眼用画像Ｌとを合成した合成画像の平面図であり、（ｂ）はパララックスバリアＢを介して見た右眼用画像Ｒの平面図であり、（ｃ）はパララックスバリアＢを介して見た左眼用画像Ｌの平面図である。なお、「ｒ」「ｇ」「ｂ」は、それぞれ赤色、緑色、青色のカラーフィルタが割り当てられたサブ画素である。
【００５１】
図５（ａ）に示すように、右眼用画像Ｒを表示するサブ画素と左眼用画像Ｌを表示するサブ画素は、それぞれ１サブ画素毎に水平方向に交互に並んで配置されている。垂直方向で見ると、右眼用画像Ｒを表示する複数のサブ画素と、左眼用画像Ｌを表示する複数のサブ画素とは、１列毎（１サブ画素毎）に交互に並んで配置されており、それぞれの画像Ｒ，Ｌを表示する複数のサブ画素が、カラーフィルタの延在方向（垂直方向）に沿ってストライプ状に配置されている。
【００５２】
図５（ｂ）において、共通の座標（ｎ，ｋ）で表示された１つ又は２つのサブ画素は、一体となって１つの表示画素ＰＲ１又はＰＲ２を構成している。図示左上の表示画素ＰＲ１では、水平方向に連続した３つのサブ画素のうち、赤色と青色の２つのサブ画素によって１つの表示画素が構成されている。表示画素ＰＲ１の水平方向において１つ隣の表示画素ＰＲ２では、水平方向に連続した３つのサブ画素のうち、緑色のサブ画素によって１つの表示画素が構成されている。表示画素ＰＲ１及びＰＲ２は、合成後の右眼用画像Ｒを表示する最小の表示単位であり、画面Ｗを構成する画素（パネル画素）、すなわち水平方向に連続する赤色、緑色、青色の３つのサブ画素を一組として構成される画素とは異なるものである。画面Ｗには、右眼用の表示画素ＰＲ１，ＰＲ２が水平方向及び垂直方向に複数配列されており、これら複数の表示画素ＰＲ１，ＰＲ２によって、全体としての右眼用画像Ｒが形成されている。
【００５３】
図５（ｃ）において、共通の座標（ｎ，ｋ）で表示された１つ又は２つのサブ画素は、一体となって１つの表示画素ＰＬ１又はＰＬ２を構成している。図示左上の表示画素ＰＬ１では、水平方向に連続した３つのサブ画素のうち、緑色のサブ画素によって１つの表示画素が構成されている。表示画素ＰＬ１の水平方向において１つ隣の表示画素ＰＬ２では、水平方向に連続した３つのサブ画素のうち、赤色と青色の２つのサブ画素によって１つの表示画素が構成されている。表示画素ＰＬ１及びＰＬ２は、合成後の左眼用画像Ｌを表示する最小の表示単位であり、画面Ｗを構成する画素（パネル画素）、すなわち水平方向に連続する赤色、緑色、青色の３つのサブ画素を一組として構成される画素とは異なるものである。画面Ｗには、左眼用の表示画素ＰＬ１，ＰＬ２が水平方向及び垂直方向に複数配列されており、これら複数の表示画素ＰＬ１，ＰＬ２によって、全体としての左眼用画像Ｌが形成されている。
【００５４】
ここで、表示画素ＰＲ１は、図１３（ｂ）に示した表示画素ＰＲと比較して緑色のサブ画素が欠落した構成となっている。そのため、表示画素全体として紫色がかった色味を帯びたものとなっている。一方、表示画素ＰＲ２は、図１３（ｂ）に示した表示画素ＰＲと比較して赤色と青色のサブ画素が欠落した構成となっている。そのため、表示画素全体として緑色がかった色味を帯びたものとなっている。しかしながら、これらの表示画素ＰＲ１，ＰＲ２は、互いに隣接して配置されているため、互いの色味が補償され、画像全体としては色味が殆ど感じられないものとなる。また、個々の表示画素ＰＲ１，ＰＲ２では、一部の色情報が欠落しているので、完全に正確な色は再現できないが、隣接する表示画素同士は似たような画像が表示される場合が多いため、これらの表示画素の間で色が補完し合い、全体として略正確な色を再現することができる。また、個々の表示画素ＰＲ１，ＰＲ２の大きさは、通常の２次元画像を表示する場合の画素（パネル画素）と同じであるため、細かい画像を表示する場合に解像度が落ちることはない。したがって、これらの表示画素ＰＲ１，ＰＲ２によって形成される右眼用画像Ｒは、色再現性が高く、輪郭も滑らかなものとなる。
【００５５】
このような事情は、図５（ｃ）に示した左眼用画像Ｌでも同じである。すなわち、表示画素ＰＬ１は、図１３（ｃ）に示した表示画素ＰＬと比較して赤色と青色のサブ画素が欠落した構成となっている。そのため、表示画素全体として緑色がかった色味を帯びたものとなっている。一方、表示画素ＰＬ２は、図１３（ｃ）に示した表示画素ＰＬと比較して緑色のサブ画素が欠落した構成となっている。そのため、表示画素全体として紫色がかった色味を帯びたものとなっている。しかしながら、これらの表示画素ＰＬ１，ＰＬ２は、互いに隣接して配置されているため、互いの色味が補償され、画像全体としては色味が殆ど感じられないものとなる。また、個々の表示画素ＰＬ１，ＰＬ２では、一部の色情報が欠落しているので、完全に正確な色は再現できないが、隣接する表示画素同士は似たような画像が表示される場合が多いため、これらの表示画素の間で色が補完し合い、全体として略正確な色を再現することができる。また、個々の表示画素ＰＬ１，ＰＬ２の大きさは、通常の２次元画像を表示する場合の画素（パネル画素）と同じであるため、細かい画像を表示する場合に解像度が落ちることはない。したがって、これらの表示画素ＰＬ１，ＰＬ２によって形成される左眼用画像Ｌは、色再現性が高く、輪郭も滑らかなものとなる。
【００５６】
図６は、画面Ｗ上に白い輝線ＳＷを表示する場合を示している。図６（ａ）に示すように、右眼用画像Ｒに輝線ＳＷを表示する場合には、輝線ＳＷと重なる表示画素ＰＲ１，ＰＲ２を点灯させる必要がある（図６（ｂ））。この場合、表示画素ＰＲ１，ＰＲ２の大きさは、通常の２次元画像を表示する場合と同じであるため、輝線ＳＷの幅も水平方向に広がることはなく、本来の輝線ＳＷの形状を略正確に再現することができる。
【００５７】
以上説明したように、本実施形態の表示装置１によれば、合成画像を表示する表示画素ＰＲ１，ＰＲ２，ＰＬ１，ＰＬ２の大きさが、通常の２次元画像を表示する場合の画素（パネル画素）の大きさと同じであるため、解像度の高い画像表示が実現できる。この場合、個々の表示画素内では完全に正確な色再現性は得られないが、隣接する表示画素同士の間（表示画素ＰＲ１と表示画素ＰＲ２との間、又は表示画素ＰＬ１と表示画素ＰＬ２との間）では表示される色が互いに異なるため、これらの表示画素同士の間で色が補完し合い、全体として正確な色再現性が得られる。
【００５８】
なお、本実施形態では、パララックスバリアＢを垂直方向に配置したストライプバリア方式を採用したが、パララックスバリアＢを水平方向に対して斜めに配置した斜めバリア方式（ステップバリア方式）を採用することも可能である。図７は、斜めバリア方式を採用した場合の画面Ｗの平面図である。この図は、図５（ｂ）に対応するものである。ここで、座標（２，２）の表示画素ＰＲ１は、赤色と青色の色情報を有しており、隣接する４つの表示画素、すなわち座標（１、２）、（２、１）、（３、２）、（２、３）の表示画素ＰＲ２は、緑色の色情報を有している。したがって、斜めバリア方式を採用すれば、ストライプバリア方式と比較して、水平方向及び垂直方向の双方において隣接する表示画素同士の間で色味が補償され、色再現性を殆ど劣化させない良好な画像が得られる。
【００５９】
また、本実施形態では、立体表示を行う立体表示装置を説明したが、複数視点の画像を複数の観察者に表示させる多視点表示装置に本発明を適用することもできる。立体表示装置では、表示する画像データとして、右眼用画像データＤＲ′と左眼用画像データＤＬ′とを用意し、右眼用画像Ｒと左眼用画像Ｌとを画像分離手段（パララックスバリア等）によって空間的に分離したが、多視点表示装置では、表示する画像データとして、複数の視点の画像データを用意し、それぞれの視点の画像を画像分離手段（パララックスバリア等）によって空間的に分離する。例えば、車載用ナビゲーションシステムのための表示装置であれば、第１視点（運転席側）の画像としてナビゲーション画像を用意し、第２視点（助手席側）の画像としてテレビ画像を用意し、これらを画像分離手段によって、それぞれの観察者に対して表示させる。立体表示装置では、右眼と左眼の位置に応じて、パララックスバリアの開口部とパネル画素の配置が決定されるが、多視点表示装置では、観察者の位置に応じて、これらの配置が決定される。
【００６０】
また、本実施形態では、表示部３として液晶パネルを用いたが、表示部３には液晶パネル以外の他の表示パネルを用いても良い。表示パネルとしては、液晶パネル、電気泳動パネル等の非発光型パネルの他、エレクトロルミネッセンスパネル（ＥＬパネル）等の自発光型パネルを用いることができる。また、画像分離手段としてパララックスバリアＢを用いたが、画像分離手段としてはパララックスバリアの他、レンチキュラーレンズ等を用いることができる。
【００６１】
また、本実施形態では、１つの表示画素を一部の色情報が欠落した画素として構成するため、垂直方向に１本の白い線を表示する場合に、紫色又は緑色の線が表示されることになる。したがって、このような場合には、隣の表示画素も同時に点灯させることで、白表示を行うことが望ましい。
【００６２】
［第２の実施の形態］
図８は、本発明の第２実施形態の表示装置１０の全体構成を示すブロック図である。表示装置１は、表示部である液晶パネル４と、画像データ供給回路２６と、タイミング制御回路８と、電源回路９とを備えている。なお、第１実施形態の表示装置１と共通の構成要素については、同じ符号を付し、詳細な説明は省略する。
【００６３】
画像データ供給回路２６は、Ｓ／Ｐ変換回路２０と、選択回路２４とを備えている。選択回路２４は、Ｓ／Ｐ変換回路２０で相展開された６つの画像データＤＲ′ｒ、ＤＲ′ｇ、ＤＲ′ｂ、ＤＬ′ｒ、ＤＬ′ｇ、ＤＬ′ｂの一部を選択して液晶パネル４に供給する。液晶パネル４には、選択回路２４で選択された画像データＤｒ、Ｄｇ、Ｄｂによって合成画像が表示される。なお、画像データＤｒ、Ｄｇ、Ｄｂは、それぞれ合成画像として表示される赤色、緑色、青色の画像データである。
【００６４】
図９は、液晶パネル４及び周辺駆動回路の電気的構成を示すブロック図である。液晶パネル４には、画像データＤｒ、Ｄｇ、Ｄｂを表示するための画像表示領域（画面）Ｗが設けられている。画像表示領域Ｗには、複数の画素電極３３が水平方向及び垂直方向にマトリクス状に設けられている。画素電極３３の境界部には、画像表示領域Ｗの水平方向及び垂直方向に沿ってそれぞれ複数の走査線３４及び複数のデータ線３５が設けられている。走査線３４とデータ線３５との交点付近には、画素スイッチング素子としてのＴＦＴ（図示略）が設けられている。画素電極３３は、該ＴＦＴを介して走査線３３及びデータ線３５と電気的に接続されている。
【００６５】
画素電極３３が形成された領域は、それぞれサブ画素を構成する。サブ画素は、赤色、緑色、青色のいずれかの色要素に対応しており、このようなサブ画素が水平方向及び垂直方向に配列することにより、全体としての画像表示領域Ｗが形成されている。図示は省略したが、画像表示領域Ｗには、ストライプ状に形成された複数のカラーフィルタが設けられている。カラーフィルタは、赤色、緑色、青色のいずれかの色を有し、垂直方向に配列したサブ画素の列のいずれかに対応している。赤色、緑色、青色のカラーフィルタは、それぞれ１サブ画素毎に水平方向に交互に配置されており、赤色、緑色、青色の３つのカラーフィルタに対応した３つのサブ画素によって１つの画素（パネル画素）が形成されている。
【００６６】
画像表示領域Ｗの周辺部には、走査線駆動回路３１と、データ線駆動回路３２と、選択回路２４と、サンプリング回路３８とを含む周辺駆動回路が設けられている。これらの回路は、画素電極３３が形成された基板上に一体に形成しても良いし、駆動用ＩＣとして当該基板とは別体に設けても良い。
【００６７】
データ線駆動回路３２とサンプリング回路３８との間には、画像データＤＲ′ｒ、ＤＲ′ｇ、ＤＲ′ｂ、ＤＬ′ｒ、ＤＬ′ｇ、ＤＬ′ｂを供給するための６本の画像信号線３７が設けられている。６本の画像信号線３７は、６相に展開された右眼用赤色画像データＤＲ′ｒ、右眼用緑色画像データＤＲ′ｇ、右眼用青色画像データＤＲ′ｂ、左眼用赤色画像データＤＬ′ｒ、左眼用緑色画像データＤＬ′ｇ、左眼用青色画像データＤＬ′ｂのいずれかに対応している。
【００６８】
データ線３５の一端には、サンプリングスイッチ３６が電気的に接続されている。サンプリングスイッチ３６は、右眼用画像データと左眼用画像データを供給する２本の画像信号線にそれぞれ対応しており、サンプリングスイッチ３６と画像信号線３７との間には、２本の画像信号線３７のいずれかの選択するための選択用スイッチング素子３９（３９ｒ、３９ｇ、３９ｂ）が設けられている。
【００６９】
赤色画像データを供給するデータ線３５に接続されるサンプリングスイッチ３６には、右眼用赤色画像データＤＲ′ｒを供給する画像信号線３７と、左眼用赤色画像データＤＬ′ｒを供給する画像信号線３７とが対応しており、この２本の画像信号線３７と１つのサンプリングスイッチ３６との間には、いずれかの画像信号線３７を選択するための赤色用スイッチング素子３９ｒが設けられている。
【００７０】
緑色画像データを供給するデータ線３５に接続されるサンプリングスイッチ３６には、右眼用緑色画像データＤＲ′ｇを供給する画像信号線３７と、左眼用緑色画像データＤＬ′ｇを供給する画像信号線３７とが対応しており、この２本の画像信号線３７と１つのサンプリングスイッチ３６との間には、いずれかの画像信号線３７を選択するための緑色用スイッチング素子３９ｇが設けられている。
【００７１】
青色画像データを供給するデータ線３５に接続されるサンプリングスイッチ３６には、右眼用青色画像データＤＲ′ｂを供給する画像信号線３７と、左眼用青色画像データＤＬ′ｂを供給する画像信号線３７とが対応しており、この２本の画像信号線３７と１つのサンプリングスイッチ３６との間には、いずれかの画像信号線３７を選択するための青色用スイッチング素子３９ｂが設けられている。
【００７２】
選択用スイッチング素子３９は水平方向に複数設けられており、該複数の選択用スイッチング素子３９によって、選択回路２４が形成されている。選択回路２４は、外部から入力された合成前の右眼用画像の画像データＤＲ′ｒ、ＤＲ′ｇ、ＤＲ′ｂと合成前の左眼用画像の画像データＤＬ′ｒ、ＤＬ′ｇ、ＤＬ′ｂから右眼用画像の表示画素として選択されるサブ画素の画像データと左眼用画像の表示画素として選択されるサブ画素の画像データを選択して当該サブ画素に出力する画像データ合成回路を構成する。
【００７３】
走査線駆動回路３１には、図８に示したタイミング制御回路８から、Ｙクロック信号ＣＬＹ、反転Ｙクロック信号ＣＬＹｉｎｖ及びＹスタートパルスＤＹが供給されるようになっている。走査線駆動回路３１は、ＹスタートパルスＤＹが入力されると、Ｙクロック信号ＣＬＹ及び反転Ｙクロック信号ＣＬＹｉｎｖに基づくタイミングで、走査信号Ｇ１、Ｇ２、…、Ｇｍを順次生成して出力するようになっている。
【００７４】
データ線駆動回路３２には、図８に示したタイミング制御回路８から、Ｘクロック信号ＣＬＸ、反転Ｘクロック信号ＣＬＸｉｎｖ及びＸスタートパルスＤＸが供給されるようになっている。データ線駆動回路３２は、ＸスタートパルスＤＸが入力されると、Ｘクロック信号ＣＬＸ及び反転Ｘクロック信号ＣＬＸｉｎｖに基づくタイミングで、サンプリング信号Ｓ１、Ｓ２、…、Ｓｎを順次生成して出力するようになっている。
【００７５】
サンプリング信号は、水平方向に連続する赤色、緑色、青色の３つサブ画素を一組として、１画素毎（１パネル画素毎）に供給されるようになっている。データ線駆動回路３２からは、１画素毎にサンプリング信号Ｓ１、Ｓ２、…、Ｓｎが順次供給され、サンプリング信号Ｓ１、Ｓ２、…、Ｓｎに応じて、各サンプリングスイッチ３６がオン状態とされる。そして、オン状態となったサンプリングスイッチ３６を介して、１画素毎にデータ線３５に画像データＤｒ、Ｄｇ、Ｄｂが順次供給されるようになっている。
【００７６】
ここで、選択回路２４においては、サンプリングスイッチ３６がオン状態とされるタイミングに合わせて、選択用スイッチング素子３９が２本の画像信号線３７のうちのいずれかを選択する。水平方向で見ると、選択用スイッチング素子３９は、１列毎（１サブ画素毎）に右眼用画像データと左眼用画像データとを交互に選択する。このため、選択用スイッチング素子３９によって選択されなかった画像データは、実質的に間引かれることになり、全体として情報量は１／２となる。
【００７７】
１画素分の右眼用画像データと左眼用画像データのうち、選択用スイッチング素子３９によって選択された右眼用画像データと左眼用画像データは、液晶パネルの１画素（１パネル画素）の領域に出力される。したがって、右眼用画像及び左眼用画像の最小の表示単位である表示画素は、液晶パネル４の１画素（１パネル画素）と同じ大きさとなる。また、隣接する表示画素同士の間では、互いに表示する色情報は異なるため、これらが相互に色を補償し合うことで、略正確な色再現性が得られるようになる。
【００７８】
以上説明したように、本実施形態の表示装置１０によれば、第１実施形態の表示装置１と同様の合成画像が得られる。この合成画像は、右眼用画像及び左眼用画像の最小の表示単位である表示画素の大きさが、液晶パネル４の１画素（１パネル画素）の大きさと同じであるため、従来の表示装置に比べて解像度が高く、滑らかな輪郭表示が可能となる。また、隣接する表示画素同士の間では、表示する色が異なるため、これらの間で色補償が可能となり、略正確な色再現性が得られる。さらに、第１実施形態の表示装置１のようにメモリ等を用いないため、安価な表示装置が提供できる。
【００７９】
［電子機器］
図１０は、本発明に係る電子機器の一例を示す斜視図である。同図の携帯電話１３００は、本発明の表示装置を小サイズの表示部１３０１として備え、複数の操作ボタン１３０２、受話口１３０３、及び送話口１３０４を備えて構成されている。上記実施形態の表示装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても輪郭が滑らかで鮮明な画像表示が可能な電子機器を提供することができる。
【００８０】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００８１】
【図１】第１実施形態の表示装置の概略構成図である。
【図２】同表示装置の全体構成を示すブロック図である。
【図３】同表示装置の表示部及び周辺駆動回路の電気的構成を示すブロック図である。
【図４】同表示装置の画像処理方法を説明する説明図である。
【図５】同画像処理方法により合成された合成画像の平面図である。
【図６】同表示装置の作用効果を説明する説明図である。
【図７】同表示装置のパララックスバリアの他の構成例を示す平面図である。
【図８】第２実施形態の表示装置の全体構成を示すブロック図である。
【図９】同表示装置の表示部及び周辺駆動回路の電気的構成を示すブロック図である。
【図１０】電子機器の一例である携帯電話機の概略構成図である。
【図１１】従来の表示装置の概略構成図である。
【図１２】同表示装置の画像処理方法を説明する説明図である。
【図１３】同画像処理方法により合成された合成画像の平面図である。
【図１４】同画像処理方法の課題を説明する説明図である。
【符号の説明】
【００８２】
１，１０…表示装置、２…画像データ合成回路、３，４…表示パネル、２１…読込制御回路、２２…メモリ、２３…読出制御回路、２４…選択回路（画像データ合成回路）、３７…画像信号線、３９，３９ｒ，３９ｇ，３９ｂ…選択用スイッチング素子、１３００…携帯電話（電子機器）、ｒ…赤色サブ画素、ｇ…緑色サブ画素、ｂ…青色サブ画素、Ｂ…パララックスバリア（画像分離手段）、Ｄ…合成後の画像データ、Ｄ′…多重画像データ（合成前の画像データ）、ＤＬ…合成後の左眼用画像データ（合成後の第２画像の画像データ）、ＤＬ′…合成前の左眼用画像データ（合成前の第２画像の画像データ）、ＤＲ…合成後の右眼用画像データ（合成後の第１画像の画像データ）、ＤＲ′…合成前の右眼用画像データ（合成前の第１画像の画像データ）、Ｌ…左眼用画像（第２画像）、ＰＬ，ＰＬ１，ＰＬ２…左眼用画像の表示画素、ＰＲ，ＰＲ１，ＰＲ２…右眼用画像の表示画素、Ｒ…右眼用画像（第１画像）、Ｗ…画像表示領域（画面）
【図１】
2008109607.tif 000003
【図２】
2008109607.tif 000004
【図３】
2008109607.tif 000005
【図４】
2008109607.tif 000006
【図５】
2008109607.tif 000007
【図６】
2008109607.tif 000008
【図７】
2008109607.tif 000009
【図８】
2008109607.tif 000010
【図９】
2008109607.tif 000011
【図１０】
2008109607.tif 000012
【図１１】
2008109607.tif 000013
【図１２】
2008109607.tif 000014
【図１３】
2008109607.tif 000015
【図１４】
2008109607.tif 000016